【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
輸送サービスの運行スケジュール情報を計算機が読み込むステップと、
前記計算機が、前記運行スケジュール情報に基いて、当該運行スケジュールに含まれる複数の輸送行程各々について、当該輸送行程の始発場所、始発時間、終着場所、および終着時間を少なくとも属性として有するノードを作成し、各ノードの属性に基いて同じ輸送資源を用いて連続した運行が可能な運送行程を表すノード間を接続してパスを作成して、輸送行程のネットワークモデルを作成するステップと、
前記計算機が、輸送に用いる資源を表し、元計画の運用終了場所、元計画の運用開始場所、資源の利用可能時間帯を属性にもつ編成ノードと、運用終了を表し、元計画の運用終了場所を属性にもつ終端ノードを、資源ごとに作成してネットワークモデルに追加し、元計画の運用終了場所が等しい終端ノードと編成ノードを接続するパスと、運送行程の終着場所と運用終了場所が等しい運送行程を表すノードと終端ノードを接続するパスと、運送行程の始発場所・時刻と資源の運用開始場所と利用可能時間帯を基に運送行程を表すノードとその運送行程に割当て可能な編成ノードを接続するパスをネットワークモデルに追加するステップと、
前記計算機が、予備資源に関する情報を取得して、当該予備資源の保管場所および利用可能時間帯を少なくとも属性として有する予備資源ノードを作成して前記ネットワークモデルに追加し、当該予備資源ノードの属性と前記ネットワークモデルを構成する他のノードの属性とに基いて、当該予備資源を用いて運行が可能な運行行程を表すノードと当該予備資源ノードとを接続したパスを前記ネットワークモデルに追加するステップと、
前記計算機が、前記ネットワークモデルを構成する前記予備資源ノード以外の各ノードに、一つ運送資源若しくは予備資源が割り当てられるような、複数のパスから構成されるパスの組み合わせを、前記ネットワークモデルから抽出するステップと、
前記計算機が、抽出された前記組み合わせについて、当該組み合わせを構成する複数のパスの各々に輸送資源または予備資源を割り当てることによって、輸送資源および予備資源の運用計画を作成して当該運用計画を出力するステップを有する
ことを特徴とする、資源運用計画作成方法。
【請求項２】
前記予備資源とは、前記運送資源を所有して前記輸送サービスを提供する輸送サービス会社以外の他の会社が所有する運送資源であり、
前記予備資源が前記保管場所の外に移動した場合には同日中に当該保管場所に戻るように、前記予備資源ノードは他のノードと接続されることを特徴とする請求項１記載の資源
運用計画作成方法。
【請求項３】
前記ネットワークモデルには更に、前記運送資源の保守作業について、当該保守作業の作業時間と作業場所と少なくとも属性として有する保守ノードを有しており、
前記保守ノードは、当該保守ノードの属性に基いて、運送資源の保守が可能な運送行程を表すノードと接続されている
ことを特徴とする請求項１に記載の資源運用計画作成方法。
【請求項４】
更に、前記運行スケジュール情報に対する変更を前記計算機が受け付けるステップと、
受け付けた変更に基いて、前記計算機がネットワークモデルを変更するステップとを更に有することを特徴とする請求項１乃至３記載の資源運用計画作成方法。
【請求項５】
更に、受け付けた前記運行スケジュール情報に対する変更の内容から、複数の運送行程を同じ資源に割当てる場合の運送行程の順序、資源間での運送行程の交換、保守作業の振替のいずれかを表す運用パターンを前記計算機が１つ以上抽出し、運用パターンとして記憶装置に保存するステップ、
ネットワークモデルを作成する際に前記計算機は前記記憶装置に保存されている運用パターンを読み込んで、当該運用パターンを当該ネットワークモデルに反映するステップと
を有することを特徴とする請求項４記載の資源運用計画作成方法。
【請求項６】
前記運行スケジュールは列車の運行スケジュールであって、前記運送資源は車両である
ことを特徴とする請求項１乃至５記載の資源運用計画作成方法。
【請求項７】
輸送資源の運用計画を作成する装置であって、
輸送サービスの運行スケジュール情報を計算機が読み込む入力部と、
前記運行スケジュール情報に基いて、当該運行スケジュールに含まれる複数の輸送行程各々について、当該輸送行程の始発場所、始発時間、終着場所、および終着時間を少なくとも属性として有するノードを作成し、各ノードの属性に基いて同じ輸送資源を用いて連続した運行が可能な運送行程を表すノード間を接続してパスを作成して、輸送行程のネットワークモデルを作成するネットワークモデル作成部と、
前記ネットワークモデルに基いて前記運用計画を作成する計画作成部とを有し、
前記ネットワークモデル作成部は、輸送に用いる資源を表し、元計画の運用終了場所、元計画の運用開始場所、資源の利用可能時間帯を属性にもつ編成ノードと、運用終了を表し、元計画の運用終了場所を属性にもつ終端ノードを、資源ごとに作成してネットワークモデルに追加し、元計画の運用終了場所が等しい終端ノードと編成ノードを接続するパスと、運送行程の終着場所と運用終了場所が等しい運送行程を表すノードと終端ノードを接続するパスと、運送行程の始発場所・時刻と資源の運用開始場所と利用可能時間帯を基に運送行程を表すノードとその運送行程に割当て可能な編成ノードを接続するパスをネットワークモデルに追加し、予備資源に関する情報を取得して、当該予備資源の保管場所および利用可能時間帯を少なくとも属性として有する予備資源ノードを作成して前記ネットワークモデルに追加し、当該予備資源ノードの属性と前記ネットワークモデルを構成する他のノードの属性とに基いて、当該予備資源を用いて運行が可能な運行行程を表すノードと当該予備資源ノードとを接続したパスを前記ネットワークモデルに追加し、
前記計画作成部は、前記ネットワークモデルを構成する前記予備資源ノード以外の各ノードに、一つ運送資源若しくは予備資源が割り当てられるような、複数のパスから構成されるパスの組み合わせを、前記ネットワークモデルから抽出し、抽出された前記組み合わせについて、当該組み合わせを構成する複数のパスの各々に輸送資源または予備資源を割り当てることによって、輸送資源および予備資源の運用計画を作成して当該運用計画を出力する
ことを特徴とする、資源運用計画作成装置。
【請求項８】
前記予備資源とは、前記運送資源を所有して前記輸送サービスを提供する輸送サービス会社以外の他の会社が所有する運送資源であり、
前記ネットワークモデル作成部は、前記予備資源が前記保管場所の外に移動した場合には同日中に当該保管場所に戻るように、前記予備資源ノードと他のノードとを接続する
ことを特徴とする請求項７記載の資源運用計画作成装置。
【請求項９】
前記ネットワークモデル作成部は、前記運送資源の保守作業について、当該保守作業の作業時間と作業場所と少なくとも属性として有する保守ノードを、前記ネットワークモデルに更に追加し、当該保守ノードの属性に基いて、運送資源の保守が可能な運送行程を表すノードと当該保守ノードとを接続するパスを作成する
ことを特徴とする請求項７に記載の資源運用計画作成装置。
【請求項１０】
前記入力部は更に、前記運行スケジュール情報に対する変更を前記計算機が受け付け、
前記ネットワークモデル作成部は、受け付けた変更に基いて、前記ネットワークモデルを変更することを特徴とする請求項７乃至９記載の資源運用計画作成装置。
【請求項１１】
更に、前記入力部が受け付けた前記運行スケジュール情報に対する変更の内容から、複数の運送行程を同じ資源に割当てる場合の運送行程の順序、資源間での運送行程の交換、保守作業の振替のいずれかを表す運用パターンを前記計算機が１つ以上抽出し、運用パターンとして保存する操作履歴記憶部を有し、
前記ネットワークモデル作成部は、ネットワークモデルを作成する際に前記操作履歴記憶部に保存されている運用パターンを当該ネットワークモデルに反映することを特徴とする請求項１０記載の資源運用計画作成装置。
【請求項１２】
前記運行スケジュールは列車の運行スケジュールであって、前記運送資源は車両である
ことを特徴とする請求項７乃至１１記載の資源運用計画作成装置。